(57)【要約】      （修正有）【課題】ＳＡＲ（比吸収率）を低減させ、さらに良好な無線通信を行う。【解決手段】電子機器１は、ユーザの頭部に装着させて使用する。電子機器１は、ユーザの目の前側に配置されるレンズ部１２，１３と、レンズ部１２，１３のレンズ面に形成された複数のアンテナ２０ａ〜２０ｄから構成されるアレーアンテナとを備える。【選択図】図１
2017175439.tif 000002
【特許請求の範囲】
【請求項１】
ユーザの頭部に装着させて使用する電子機器であって、
ユーザの目の前側に配置されるレンズ部と、
前記レンズ部のレンズ面に形成された複数のアンテナから構成されるアレーアンテナと、
を備える電子機器。
【請求項２】
前記アレーアンテナを制御する制御部をさらに備え、
前記制御部は、
前記アレーアンテナを、アダプティブアンテナとして機能させる請求項１に記載の電子機器。
【請求項３】
前記ユーザの視線情報を検出する視線検出部及び制御部をさらに備え、
前記制御部は、
前記視線情報に基づき、前記アンテナから出力される信号を用いて他の通信機器と通信を開始することを特徴とする請求項１に記載の電子機器。
【請求項４】
画像を撮像するカメラ部をさらに備え、
前記制御部は、
前記カメラ部により撮像された画像に写り込んだ他の通信機器に、
前記視線検出部で検出された前記ユーザの視線位置が所定時間以上とどまっていた場合に、前記他の通信機器と通信を開始する請求項３に記載の電子機器。
【請求項５】
画像を撮像するカメラ部及び制御部をさらに備え、
前記制御部は、
前記カメラ部により撮像された画像に写り込んだ他の通信機器と通信を開始する請求項１に記載の電子機器。
【発明の詳細な説明】
【技術分野】
【０００１】
本発明は、電子機器に関する。
【背景技術】
【０００２】
近年、ユーザの身体に装着させて使用することができるウェアラブル端末の利用が普及しつつある。ウェアラブル端末として、例えば、特許文献１から３に記載の電子機器が知られている。
【先行技術文献】
【特許文献】
【０００３】
【特許文献１】特開２０１３−９００６１号公報
【特許文献２】特開平１１−３５３４４４号公報
【特許文献３】特表２０１３−５１３２７５号公報
【発明の概要】
【発明が解決しようとする課題】
【０００４】
ユーザの身体に装着させる無線通信機は、ＳＡＲ（比吸収率：Ｓｐｅｃｉｆｉｃ  Ａｂｓｏｒｐｔｉｏｎ  Ｒａｔｅ）が基準値以下であることを満たす必要がある。しかしながら、特許文献１から３に記載の電子機器では、電波を送受信する無線通信機のアンテナがユーザの頭部に近接するため、ＳＡＲが増大して基準値を超える可能性がある。また、ユーザの頭部による電波伝搬の妨害を受けるため無線性能の劣化を招きやすい。
【０００５】
本発明の目的は、上記の問題に鑑みてなされたものであり、ＳＡＲを低減させ、さらに良好な無線通信を行うことができる電子機器を提供することにある。
【課題を解決するための手段】
【０００６】
本発明の一実施形態に係る電子機器は、ユーザの頭部に装着させて使用する電子機器であって、ユーザの目の前側に配置されるレンズ部と、前記レンズ部のレンズ面に形成された複数のアンテナから構成されるアレーアンテナと、を備える。
【発明の効果】
【０００７】
本発明に係る電子機器によれば、ＳＡＲを低減させ、さらに良好な無線通信を行うことができる。
【図面の簡単な説明】
【０００８】
【図１】本発明の一実施形態に係る電子機器の構成の一例を示す斜視図である。
【図２】本発明の一実施形態に係る電子機器の回路構成の一例を示す機能ブロック図である。
【図３】図１に示される電子機器をユーザが装着した場合の概念図である。
【図４】図１に示される電子機器をユーザの視線方向側から見た概略図である。
【図５】図１に示される視線検出技術を説明する概略図である。
【図６】図１に示される電子機器におけるカメラ部の動作を説明する概念図である。
【図７】図１に示される電子機器における、ユーザの視線情報に基づく通信動作のフローチャートである。
【図８】本発明の一実施形態に係る電子機器の構成の変形例２を示す斜視図である。
【発明を実施するための形態】
【０００９】
以下、本発明の一実施形態について、図面を参照して説明する。
【００１０】
［電子機器の構成］
図１は、本発明の一実施形態に係る電子機器１の構成の一例を示す斜視図である。図1に示されるように、電子機器１は、ユーザが頭部に装着して使用する眼鏡型の通信端末である。電子機器１は、テンプル部１０，１１と、レンズ部１２，１３と、鼻あて部１４，１５と、ブリッジ部１６と、アレーアンテナ２０ａ，２０ｂ，２０ｃ，２０ｄと、視線検出部３０と、カメラ部４０と、制御回路１００とを備える。なお、図１では、給電線等は図示を省略している。また、視線検出部３０の配置については後述する。
【００１１】
テンプル部１０は、ユーザが電子機器１を装着している状態（以下、適宜「ユーザ装着状態」と記載する）では、ユーザの頭部の左側面に位置する。テンプル部１１は、ユーザ装着状態では、ユーザの頭部の右側面に位置する。テンプル部１０は、その先端に耳掛け部１０ａを有する。テンプル部１１は、その先端に耳掛け部１１ａを有する。耳掛け部１０ａは、ユーザ装着状態では、ユーザの左の耳に掛けられる。耳掛け部１１ａは、ユーザ装着状態では、ユーザの右の耳に掛けられる。
【００１２】
レンズ部１２は、一端でテンプル部１０と連結し、他端でブリッジ部１６と連結する。レンズ部１３は、一端でテンプル部１１と連結し、他端でブリッジ部１６と連結する。レンズ部１２は、ユーザ装着状態ではユーザの左の目の前に位置する。レンズ部１３は、ユーザ装着状態ではユーザの右の目の前に位置する。レンズ部１２，１３は、それぞれ、その縁を囲むリム部１２ａ，１３ａを有する。
【００１３】
鼻あて部１４は、レンズ部１２のブリッジ部１６側に設けられる。鼻あて部１５は、レンズ部１３のブリッジ部１６側に設けられる。鼻あて部１４は、ユーザ装着状態ではユーザの鼻の左の側にあてられる。鼻あて部１５は、ユーザ装着状態ではユーザの鼻の右の側にあてられる。
【００１４】
ブリッジ部１６は、左右のレンズ部１２，１３を連結することで、レンズ部１２，１３を所定の位置関係に維持する。
【００１５】
レンズ部１２には、アレーアンテナ２０ａとアレーアンテナ２０ｂが形成されている。レンズ部１３には、アレーアンテナ２０ｃとアレーアンテナ２０ｄが形成されている。以下、アレーアンテナ２０ａ，２０ｄ，２０ｃ，２０ｄを単にアレーアンテナ２０ａ〜２０ｄとも記す。各アレーアンテナ２０ａ〜２０ｄは、アンテナパターンをレンズ部１２，１３のレンズ面に印刷することで形成されたアレーアンテナである。アレーアンテナ２０ａ〜２０ｄは、１つのアンテナ素子として機能するものとする。アレーアンテナ２０ａ〜２０ｄには、制御回路１００から、電力が給電される。
【００１６】
なお、アレーアンテナ２０ａ〜２０ｄは、レンズ部１２，１３のレンズ面のいずれか一方のみに形成されていてもよい。また、アレーアンテナ２０ａ〜２０ｄのうち、いずれか１つのアレーアンテナがレンズ部１２，１３のレンズ面の一方に形成され、他の３つのアレーアンテナがレンズ部１２，１３のレンズ面の他方に形成されていてもよい。
【００１７】
アレーアンテナ２０ａ〜２０ｄは、レンズ部１２，１３のレンズ面において、図１に示すようにレンズ面の上部のみに形成されていてもよいし、レンズ面全体に形成されていてもよい。なお、ここで、上部とは、ユーザの顔の口から額方向に向かう方向を上方向とした場合の上の部分をいう。すなわち、アレーアンテナ２０ａ〜２０ｄは、図１に示されるようにレンズ部１２，１３のレンズ面において、一列に並んで形成されていてもよいし、一列に並ばずに形成されていてもよい。また、本実施形態では、アレーアンテナは、アレーアンテナ２０ａ〜２０ｄの４つとしているが、アレーアンテナを構成するアンテナの個数は４つに限定されるものではなく、その他の適宜な個数であってもよい。
【００１８】
また、図１では、アレーアンテナ２０ａ〜２０ｄは、それぞれ、２つの渦巻き形状のアンテナから構成されているが、アレーアンテナ２０ａ〜２０ｄを構成するアンテナの数及びアンテナ形状は、これに限定されない。例えば、アレーアンテナとして、線状部分、曲線状部分等を適宜組み合わせてもよい。また、アンテナパターンとして、例えば、透明電極膜又は金属箔等のパターンを用いることができる。本実施形態では、アンテナパターンとして透明電極膜のパターンを用いる
【００１９】
次に、図１に示される電子機器の制御回路１００について、図２を参照して説明する。図２に、本発明の一実施形態に係る電子機器１の回路構成の一例を示す。制御回路１００は、電源部１１０、信号処理部１２０、ＲＦ（Ｒａｄｉｏ  Ｆｒｅｑｕｅｎｃｙ）部１３０、制御部１４０、記憶部１５０、整合回路部１６０ａ，１６０ｂ，１６０ｃ，１６０ｄを有する。以下、整合回路部１６０ａ，１６０ｂ，１６０ｃ，１６０ｄを単に、整合回路部１６０ａ〜１６０ｄとも記す。
【００２０】
電源部１１０は、例えば充電可能な二次電池により構成される。電源部１１０は、信号処理部１２０、制御部１４０、記憶部１５０及びその他電子機器１全体の要素等に電力を供給する。なお、図２に示される例では、電源部１１０は、図を簡単にするため制御部１４０との接続関係を示しているのみであるが、実際には、電源部１１０は、制御回路の各要素と電気的に接続され、これら各要素に電力を供給する。また、電源部１１０は、図２では制御回路１００に含まれているとしているが、電子機器１において制御回路１００とは別の場所に配置されていてもよい。
【００２１】
信号処理部１２０は、ＲＦ部１３０から供給される受信信号に対して合成処理等を行い、処理後の受信信号を制御部１４０に出力する。また、信号処理部１２０は、制御部１４０から供給される送信信号に対して重みづけ処理等を行い、処理後の送信信号をＲＦ部１３０に出力する。
【００２２】
ＲＦ部１３０は、整合回路部１６０ａ〜１６０ｄから供給される受信信号を、デジタル処理可能な帯域に変換する。ＲＦ部１３０は、変換後の受信信号を、信号処理部１２０に出力する。また、ＲＦ部１３０は、信号処理部１２０から供給される送信信号を、ＲＦ帯域に変換する。ＲＦ部１３０は、変換後の送信信号を、整合回路部１６０ａ〜１６０ｄに出力する。
【００２３】
制御部１４０は、電子機器１全体を制御及び管理するものであり、例えばプロセッサにより構成することができる。制御部１４０は、記憶部１５０に記憶されているプログラムを読み出して実行し、様々な機能を実現させる。例えば、制御部１４０は、信号処理部１２０に送信信号を出力する。また、制御部１４０は、信号処理部１２０から供給される受信信号を用いて様々な処理等を行う。
【００２４】
また、制御部１４０は、アレーアンテナ２０ａ〜２０ｄによって通信を開始する際、アレーアンテナ２０ａ〜２０ｄを、信号処理部１２０による重みづけ処理等を介してアダプティブアレーアンテナとして機能させ、アレーアンテナ２０ａ〜２０ｄによって送受信される電波の指向性を制御する。
【００２５】
また、制御部１４０は、制御信号を整合回路部１６０ａ〜１６０ｄに出力して整合回路部１６０ａ〜１６０ｄ内のインピーダンスを調整させることで、整合回路部１６０ａ〜１６０ｄに、アレーアンテナ２０ａ〜２０ｄのインピーダンスと制御回路１００を構成する回路のインピーダンスとを整合させる。
【００２６】
また、制御部１４０には、視線検出部３０、カメラ部４０が接続される。制御部１４０は、視線検出部３０及びカメラ部４０を制御する。
【００２７】
記憶部１５０は、制御部１４０の処理に必要な情報や、制御部１４０の各機能を実現する処理内容を記述したプログラムを記憶している。記憶部１５０は、カメラ部４０によって撮像された画像及び視線検出部３０によって検出されたユーザの視線情報等を記憶している。
【００２８】
整合回路部１６０ａ〜１６０ｄは、それぞれアレーアンテナ２０ａ〜２０ｄと接続されている。整合回路部１６０ａ〜１６０ｄは、制御部１４０からの制御信号により内部のインピーダンスを調整することで、アレーアンテナ２０ａ〜２０ｄのインピーダンスと、制御回路１００を構成する回路のインピーダンスとを整合させる。
【００２９】
アレーアンテナ２０ａ〜２０ｄのインピーダンスと制御回路１００を構成する回路のインピーダンスとを整合させると、アレーアンテナ２０ａ〜２０ｄからの受信信号の制御回路１００での反射が低減され、制御部１４０で処理される受信信号の強度が増加する。なお、整合回路部１６０ａ〜１６０ｄ内のインピーダンスは、制御部１４０からの制御信号によって調整可能でなくてもよく、固定であってもよい。
【００３０】
次に、図１に示される電子機器１をユーザが装着した場合について図３を用いて説明する。図３は、図１に示される電子機器１をユーザが装着した場合の概念図である。なお、図３に示される例では、図面を簡略にするために、電子機器1におけるレンズ部１２，１３とユーザ３００との関係を示しているのみであり、図１に示されるテンプル部１０，１１やリム部１２ａ，１３ａなどとの関係の図示は省略している。
【００３１】
図３に示されるように、電子機器１をユーザ３００が装着した場合、電子機器１のレンズ部１２，１３はユーザ３００の額部分３０１から一定距離Ｌだけ離れて配置される。この一定距離Ｌの離間が、ＳＡＲのユーザ３００への影響を低減する。
【００３２】
このように、本実施形態の電子機器１では、ユーザ装着状態においてユーザの頭部に直接接触しないレンズ部１２，１３にアレーアンテナ２０ａ〜２０ｄを配置することで、ＳＡＲを低減することができる。また、本実施形態では、ユーザの頭部に直接接触しないレンズ部１２，１３にアレーアンテナ２０ａ〜２０ｄを配置することで、ユーザの頭部による電波伝搬の妨害を低減させることができ、アレーアンテナ２０ａ〜２０ｄの電波の送受信に関する性能を向上させることができる。
【００３３】
また、本実施形態では、アレーアンテナ２０ａ〜２０ｄが、重量が軽いアンテナパターンを印刷して形成されることで、電子機器１の軽量化に寄与することができる。また、本実施形態は、アンテナ配置用の部材を新たに設けず、レンズ部１２，１３にアレーアンテナ２０ａ〜２０ｄを印刷により形成しているため、電子機器１のデザイン性を良好に維持することができる。また、本実施形態は、アレーアンテナ２０ａ〜２０ｄを、例えば透明電極膜で形成することで、電子機器１のデザイン性をさらに良好に維持することができる。
【００３４】
次に、本実施形態における視線検出について、図４、図５を参照して説明する。図４は、図１に示される電子機器１をユーザの視線方向側から見た概略図である。図５は、図１に示される視線検出技術を説明する概略図である。図４に示されるように、視線検出部３０は、リム部１２ａに形成されている。なお、視線検出部３０は、リム部１３ａやブリッジ部１６ａなどその他の場所に形成されていてもよい。
【００３５】
視線検出部３０は、赤外線カメラにより構成される。そして、視線検出部３０は、赤外線カメラによりユーザの目を撮像する。制御部１４０は、視線検出部３０の赤外線カメラにより撮像された画像から瞳孔の移動を検出してユーザの視線を検出する。
【００３６】
図５に示されるように、例えば、ユーザの瞳孔が中心にあれば、視線がまっすぐとなり、ユーザの瞳孔が下に移動すれば、ユーザの視線は下側になる。なお、視線検出部３０は、赤外線カメラではなく通常の可視光カメラを用いてもよい。この場合、制御部１４０は、例えばカメラにより撮像された虹彩の移動からユーザの視線を検出する。
【００３７】
言い換えると、視線検出部３０は、図１に示されるようにリム部１２ａのユーザ装着状態におけるユーザ側に配置され、矢印Ａが示す箇所に位置する。視線検出部３０は、ユーザの目の動きに基づいて、ユーザの視線情報を検出する。ユーザの視線情報には、例えば、ユーザの視線が向けられた方向（以下、「ユーザ視線方向」という）及びユーザの視線が特定の方向に維持されている間の時間（以下「ユーザ視線維持時間」という）等が含まれる。視線検出部３０は、赤外線センサを有し、その赤外線センサによってユーザの目の視線方向等を検出する。視線検出部３０は、検出したユーザの視線情報を、制御回路１００の制御部１４０に出力する。
【００３８】
次に、本実施形態のカメラ部４０の動作について図６を参照して説明する。図６は、図１に示される電子機器１におけるカメラ部の動作を説明する概念図である。
【００３９】
図６（ａ）に示されるように、カメラ部４０により画像６０４が撮像される。画像６０４中には、テーブル６０２と、テーブル６０２上に置かれた通信機器としてのスマートホン６０１とが撮像されている。また、制御部１４０は、前述の視線検出部３０により検出されたユーザの視線位置６０３を画像６０４中に配置する。
【００４０】
そして、図６（ｂ）に示されるように、ユーザがスマートホン６０１を注目すると、前述の視線検出部３０により検出されたユーザの視線位置６０３が、画像６０４中において、スマートホン６０１の位置に配置される。
【００４１】
カメラ部４０は、被写体を静止画像として撮像してもよいし、動画像として撮像してもよい。カメラ部４０は、撮像した画像を、制御回路１００に出力する。なお、例えば電子機器１がウェアラブル端末である場合、そのウェアラブル端末に付属のカメラをカメラ部４０として用いてもよい。
【００４２】
（ユーザの視線情報に基づく通信）
以下、制御部１４０の機能の詳細について図７を参照して説明する。図７は、図１に示される電子機器１における、ユーザの視線情報に基づく通信動作のフローチャートである。
【００４３】
制御部１４０は、ステップＳ７０１において、カメラ部４０により画像を撮像する。この画像の撮像は、例えば、動画として連続画像として撮像してもよいし、３秒に一回等の所定の時間間隔で撮像してもよい。また、この時間間隔は特に限定されるものではなく適宜な時間間隔であってもよい。本実施形態では、カメラ部４０は、動画を撮像するものとする。
【００４４】
次に、ステップＳ７０３において、制御部１４０は、視線検出部３０によりユーザの目の画像を撮像する。そして、制御部１４０は、撮像したユーザの目の画像から視線を検出する。
【００４５】
次に、ステップＳ７０５において、制御部１４０は、ステップＳ７０１で撮像した画像と、ステップＳ７０３で検出したユーザの視線とに基づいて、画像中の視線位置に通信機器が存在するか否かを検出する。そして、制御部１４０は、画像中の視線位置に通信機器が存在する場合（ステップＳ７０５、ＹＥＳ）、ステップＳ７０７に移行し、画像中の視線位置に通信機器が存在しない場合（ステップＳ７０５、ＮＯ）、ステップＳ７０１に移行する。
【００４６】
制御部１４０は、ステップＳ７０７において、撮像画像中において視線位置が通信機器の位置にとどまって所定時間である３秒以上が経過したか否かを判断する。そして、制御部１４０は、ステップＳ７０７において、撮像画像中において視線位置が通信機器の位置にとどまって所定時間である３秒以上が経過していなければ（ステップＳ７０７、ＮＯ）、ステップＳ７０１に移行する。制御部１４０は、ステップＳ７０７において、撮像画像中において視線位置が通信機器の位置にとどまって所定時間である３秒以上が経過していれば（ステップＳ７０７、ＹＥＳ）、ステップＳ７０９に移行する。
【００４７】
制御部１４０は、ステップＳ７０９において、撮像画像中において視線位置が所定時間である３秒以上が経過した位置にある通信機器と通信を開始する。
【００４８】
制御部１４０は、視線検出部３０からユーザの視線情報を取得すると、取得したユーザの視線情報に基づき、通信を開始する。制御部１４０は、例えば、視線情報に含まれるユーザ視線方向により特定される他の通信機器と通信を開始する。制御部１４０は、アレーアンテナ２０ａ〜２０ｄによって通信を開始する際、アレーアンテナ２０ａ〜２０ｄをアダプティブアンテナとして機能させ、アレーアンテナ２０ａ〜２０ｄによって送受信される電波の指向性を制御する。
【００４９】
また、制御部１４０は、アレーアンテナ２０ａ〜２０ｄによって通信機器から受信される電波の受信感度が強くなるように、アレーアンテナ２０ａ〜２０ｄの指向性を制御する。
【００５０】
なお、制御部１４０は、他の通信機器から、その通信機器に関する情報を受信した際は、その情報を、電子機器１のレンズ部１２，１３に表示させるようにしてもよい。例えば、ユーザが店舗で買い物中であり、視線の先の通信機器が、ユーザが買い物をしている店舗の商品であるとする。
【００５１】
このとき、制御部１４０は、商品である視線の先の通信機器から視線の先の通信機器の商品情報、例えば値段や商品名や商品説明等を受信した際は、その商品情報を、電子機器１のレンズ部１２，１３に表示させ、その商品情報を、電子機器１を装着しているユーザに視認可能としてもよい。
【００５２】
これにより、買い物中であるユーザは、例えば、視線の先の通信機器のデザインを観察しながら、視線の先の通信機器に関する商品情報等を取得できるようになる。また、ユーザが観察している視線の先の通信機器以外の情報（例えば、視線の先には無い他の通信機器の商品情報）がレンズ部１２，１３に表示されなくなるため、余計な情報によりユーザの視界を遮ることを防ぐことができる。また、この場合、レンズ部１２，１３のレンズ面には、他の通信機器から取得した情報を表示するための透明液晶パネルが設けられていてもよい。
【００５３】
また、制御部１４０は、例えば、視線情報に含まれるユーザ視線維持時間が所定の時間（例えば３秒）を超える場合に、視線情報に含まれるユーザ視線方向により特定される通信機器の電源をオンするようにしてもよい。
【００５４】
例えば、ユーザが自宅におり、視線の先の通信機器は、テレビ、照明、パソコン等の家電機器であるものとする。このとき、制御部１４０は、ユーザの視線の先の通信機器への視線が、例えば３秒間維持されている場合に、家電機器である視線の先の通信機器の電源をオンするようにしてもよい。この場合、制御部１４０は、アレーアンテナ２０ａ〜２０ｄによって、ユーザ視線方向により特定される通信機器の電源をオンさせるための信号を送信するようにしてもよい。
【００５５】
なお、本実施形態では、アレーアンテナ２０ａ〜２０ｄは、１つのアンテナ素子として機能するものとして説明したが、アレーアンテナ２０ａ〜２０ｄは、互いに異なる機能を有するアンテナとして機能してもよい。例えば、アレーアンテナ２０ａ,２０ｂを送信用アンテナとし、アレーアンテナ２０ｃ,２０ｄを受信用アンテナとしてもよい。この場合、送信用アンテナのアレーアンテナ２０ａ,２０ｂを指向性の高いパッチアンテナとして形成し、受信用アンテナのアレーアンテナ２０ｃ,２０ｄを無指向性のアンテナとして形成してもよい。これにより、例えば、受信用アンテナのアレーアンテナ２０ｃ,２０ｄのみを常時アクティブ状態にし、送信用アンテナのアレーアンテナ２０ａ,２０ｂを電波送信時のみアクティブ状態にすることで、電子機器１は、消費電力を低減し、効率よく通信を行うことができる。
【００５６】
また、本実施形態では、視線検出部３０はリム部１２ａに配置されるものとして説明したが、視線検出部３０が配置される箇所はこれに限定されない。視線検出部３０は、例えば、リム部１３ａに配置されていてもよい。
【００５７】
また、本実施形態では、カメラ部４０はブリッジ部１６に配置されるものとして説明したが、カメラ部４０が配置される箇所はこれに限定されない。カメラ部４０は、例えば、レンズ部１２の矢印Ｂで示す箇所に配置されていてもよい。
【００５８】
また、本実施形態では、制御回路１００はブリッジ部１６に配置されるものとして説明したが、制御回路１００が配置される箇所はこれに限定されない。制御回路１００は、例えば、テンプル部１０，１１又はレンズ部１２，１３とテンプル部１０，１１との間の留め具（図１では図示していないが、矢印Ｂの箇所に位置する）等に配置されていてもよい。
【００５９】
以上のように、本発明の一実施形態に係る電子機器１では、ユーザの左右の目の前に位置するレンズ部１２，１３を備え、レンズ部１２のレンズ面には、アレーアンテナ２０ａ,２０ｂが印刷され、レンズ部１３のレンズ面には、アレーアンテナ２０ｃ,２０ｄが印刷される。ユーザの頭部に直接接触しないレンズ部１２，１３にアレーアンテナ２０ａ〜２０ｄを配置することで、アレーアンテナ２０ａ〜２０ｄの電波によるＳＡＲを低減することができる。
【００６０】
さらに、本発明の一実施形態に係る電子機器１では、通信を開始する際、アレーアンテナ２０ａ〜２０ｄをアダプティブアンテナとして機能させ、アレーアンテナ２０ａ〜２０ｄの指向性を制御する。これにより、例えばユーザが移動しても、他の通信機器との通信が良好に維持される。
【００６１】
また、本実施形態の電子機器では、ユーザの視線方向を検出し、この検出した視線方向に基づいて通信機器との通信を開始する。そのため、ユーザが希望する通信機器と適切な通信を行うことができる。
【００６２】
また、本実施形態の電子機器では、画像を撮像し、この撮像した画像中に通信機器が映り込んでいた場合に通信機器との通信を開始する。そのため、ユーザが希望する通信機器と適切な通信を行うことができる。
[変形例１]
【００６３】
次に、本発明に係る電子機器の実施形態の変形例１について説明する。上記実施形態の説明では、ユーザの視線が通信機器に所定時間以上とどまっている場合に通信を開始したが、本発明に係る電子機器はこのような場合に限定されるものではない。以下の変形例１では、カメラにより撮像された画像中に通信機器が存在する場合に通信を開始する実施形態である。
【００６４】
制御部１４０は、カメラ部４０から画像を取得すると、取得した画像に基づき、他の通信機器と通信を開始する。すなわち、制御部１４０は、取得した画像を解析し、通信機器を確認した場合に通信を解析する。ここでの制御部による画像の解析は、例えば画像の中の特徴量を抽出して行われる既存の技術を用いて行われる。
【００６５】
そして、制御部１４０は、取得した画像に写り込んだ他の通信機器と通信を開始する。制御部１４０は、アレーアンテナ２０ａ〜２０ｄによって通信を開始する際、アレーアンテナ２０ａ〜２０ｄをアダプティブアンテナとして機能させ、アレーアンテナ２０ａ〜２０ｄによって送受信される電波の指向性を制御する。
【００６６】
カメラ部４０によって撮像された画像に、通信機器が写り込んでいるものとする。この場合、制御部１４０は、画像に写り込んだ通信機器と通信を開始する。また、制御部１４０は、通信機器と通信を開始する際、上述と同様に、アレーアンテナ２０ａ〜２０ｄをアダプティブアンテナとして機能させ、アレーアンテナ２０ａ〜２０ｄによって送受信される電波の指向性を制御する。
【００６７】
また、制御部１４０は、カメラ部４０から取得した画像に複数の通信機器が写り込んでいる場合、通信を行う通信機器を、ユーザに選択させてもよい。この場合、電子機器１は、ユーザからの入力を受け付ける入力部を備えていてもよい。
【００６８】
このような構成とすることにより、変形例１では、前述の電子機器１の実施形態と同様の効果が得られる。
［変形例２］
次に、本発明に係る電子機器の一実施形態である電子機器の変形例２について図８を参照して説明する。図８は、本発明の一実施形態に係る電子機器の構成の変形例２を示す斜視図である。なお、以下の変形例２は、図１に示される電子機器の構成と、レンズ部１２，１３の構造が異なるのみであるため、この異なる点のみを説明する。
【００６９】
図８に示されるように、変形例２の電子機器１ａでは、図１に示される実施形態のレンズ部１２，１３に対応するレンズ部が、右目用と左目用と分かれているのでは無く、一体型のレンズ部８０１の構成となっている。なお、レンズ部８０１の形状としては図８に示される形状に限定されるものではなく、適宜変形してもよい。
【００７０】
そして、変形例２の電子機器１ａでは、図１に示される電子機器と同様に、アレーアンテナ２０ａ〜２０ｄが形成される。
【００７１】
このような構成とすることにより、変形例２では、前述の電子機器１の実施形態と同様の効果が得られる。
【００７２】
なお、上記実施形態と各変形例は互いに矛盾しない範囲で任意に組み合わせることができる。例えば、変形例１の電子機器と変形例２の電子機器の特徴を適宜組み合わせることもできる。
【００７３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップ等に含まれる機能等は論理的に矛盾しないように再配置可能であり、複数の構成部やステップ等を１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【符号の説明】
【００７４】
１，１ａ  電子機器
１０，１１  テンプル部
１２，１３  レンズ部
１２ａ，１３ａ  リム部
１４，１５  鼻あて部
１６  ブリッジ部
２０ａ，２０ｂ，２０ｃ，２０ｄ  アレーアンテナ
３０  視線検出部
４０  カメラ部
１００  制御回路
１１０  電源部
１２０  信号処理部
１３０  ＲＦ部
１４０  制御部
１５０  記憶部
１６０ａ，１６０ｂ，１６０ｃ，１６０ｄ  整合回路部
【図１】
2017175439.tif 000003
【図２】
2017175439.tif 000004
【図３】
2017175439.tif 000005
【図４】
2017175439.tif 000006
【図５】
2017175439.tif 000007
【図６】
2017175439.tif 000008
【図７】
2017175439.tif 000009
【図８】
2017175439.tif 000010